【手続補正書】
【提出日】平成16年4月16日(2004.4.16)
【手続補正１】
【補正対象書類名】明細書
【補正対象項目名】特許請求の範囲
【補正方法】変更
【補正の内容】
【特許請求の範囲】
【請求項１】
式（Ｉ）または（ＩＩ）：
【化１】
1998036346.tif 000001
｛式中、
Ｒ１はＨ、ＯＨまたはそのＣ１−Ｃ１２エステル（直鎖または分枝鎖）もしくはＣ１−Ｃ１２（直鎖または分枝鎖または環状）アルキルエーテル、ハロゲンまたは、トリフルオロメチルエーテルおよびトリクロロメチルエーテルを包含するＣ１−Ｃ４ハロゲン化エーテル、
Ｒ２、Ｒ３、Ｒ４、Ｒ５およびＲ６は、各々、独立して、Ｈ、ＯＨまたはそのＣ１−Ｃ１２エステル（直鎖または分枝鎖）もしくはＣ１−Ｃ１２（直鎖または分枝鎖または環状）アルキルエーテル、ハロゲン、トリフルオロメチルエーテルおよびトリクロロメチルエーテルを包含するＣ１−Ｃ４ハロゲン化エーテル、シアノ、Ｃ１−Ｃ６アルキル（直鎖または分枝鎖）またはトリフルオロメチル、ただし、Ｒ１がＨの場合、Ｒ２はＯＨではない、
ＸはＨ、Ｃ１−Ｃ６アルキル、シアノ、ニトロ、トリフルオロメチルまたはハロゲン、
ｎは２または３、
Ｙは、
ａ）式：
【化２】
1998036346.tif 000002
［式中、Ｒ７およびＲ８は、各々、独立して、Ｈ、Ｃ１−Ｃ６アルキルまたは、所望により、ＣＮ、Ｃ１−Ｃ６アルキル（直鎖または分枝鎖）、Ｃ１−Ｃ６アルコキシ（直鎖または分枝鎖）、ハロゲン、ＯＨ、ＣＦ３もしくはＯＣＦ３で置換されていてもよいフェニルを意味する］で示される基、
ｂ）−Ｏ−、−ＮＨ−、−Ｎ（Ｃ１−Ｃ４アルキル）−、−Ｎ＝および−Ｓ（Ｏ）ｍ−（ｍは０〜２）から選ばれる２個までのヘテロ原子を有し、Ｈ、ヒドロキシ、ハロゲン、Ｃ１−Ｃ４アルキル、トリハロメチル、Ｃ１−Ｃ４アルコキシ、トリハロメトキシ、Ｃ１−Ｃ４アシルオキシ、Ｃ１−Ｃ４アルキルチオ、Ｃ１−Ｃ４アルキルスルフィニル、Ｃ１−Ｃ４アルキルスルホニル、ヒドロキシ（Ｃ１−Ｃ４）アルキル、−ＣＯ２Ｈ、−ＣＮ、−ＣＯＮＨＲ１、−ＮＨ２、Ｃ１−Ｃ４アルキルアミノ、ジ（Ｃ１−Ｃ４）アルキルアミノ、−ＮＨＳＯ２Ｒ１、−ＮＨＣＯＲ１、−ＮＯ２および所望により１〜３個のＣ１−Ｃ４アルキルで置換されていてもよいフェニルからなる群から選ばれる、各々、独立した１〜３個の置換基で置換されていてもよい飽和、不飽和または部分不飽和の５員ヘテロ環、
ｃ）−Ｏ−、−ＮＨ−、−Ｎ（Ｃ１−Ｃ４アルキル）−、−Ｎ＝および−Ｓ（Ｏ）ｍ−（ｍは０〜２）から選ばれる２個までのヘテロ原子を有し、Ｈ、ヒドロキシ、ハロゲン、Ｃ１−Ｃ４アルキル、トリハロメチル、Ｃ１−Ｃ４アルコキシ、トリハロメトキシ、Ｃ１−Ｃ４アシルオキシ、Ｃ１−Ｃ４アルキルチオ、Ｃ１−Ｃ４アルキルスルフィニル、Ｃ１−Ｃ４アルキルスルホニル、ヒドロキシ（Ｃ１−Ｃ４）アルキル、−ＣＯ２Ｈ、−ＣＮ、−ＣＯＮＨＲ１、−ＮＨ２、Ｃ１−Ｃ４アルキルアミノ、ジ（Ｃ１−Ｃ４）アルキルアミノ、−ＮＨＳＯ２Ｒ１、−ＮＨＣＯＲ１、−ＮＯ２および所望により１〜３個のＣ１−Ｃ４アルキルで置換されていてもよいフェニルからなる群から選ばれる、各々、独立した１〜３個の置換基で置換されていてもよい飽和、不飽和または部分不飽和の６員ヘテロ環、
ｄ）−Ｏ−、−ＮＨ−、−Ｎ（Ｃ１−Ｃ４アルキル）−、−Ｎ＝および−Ｓ（Ｏ）ｍ−（ｍは０〜２）から選ばれる２個までのヘテロ原子を有し、Ｈ、ヒドロキシ、ハロゲン、Ｃ１−Ｃ４アルキル、トリハロメチル、Ｃ１−Ｃ４アルコキシ、トリハロメトキシ、Ｃ１−Ｃ４アシルオキシ、Ｃ１−Ｃ４アルキルチオ、Ｃ１−Ｃ４アルキルスルフィニル、Ｃ１−Ｃ４アルキルスルホニル、ヒドロキシ（Ｃ１−Ｃ４）アルキル、−ＣＯ２Ｈ、−ＣＮ、−ＣＯＮＨＲ１、−ＮＨ２、Ｃ１−Ｃ４アルキルアミノ、ジ（Ｃ１−Ｃ４）アルキルアミノ、−ＮＨＳＯ２Ｒ１、−ＮＨＣＯＲ１、−ＮＯ２および所望により１〜３個のＣ１−Ｃ４アルキルで置換されていてもよいフェニルからなる群から選ばれる、各々、独立した１〜３個の置換基で置換されていてもよい飽和、不飽和または部分不飽和の７員ヘテロ環、または
ｅ）−Ｏ−、−ＮＨ−、−Ｎ（Ｃ１−Ｃ４アルキル）−および−Ｓ（Ｏ）ｍ−（ｍは０〜２）から選ばれる２個までのヘテロ原子を有し、Ｈ、ヒドロキシ、ハロゲン、Ｃ１−Ｃ４アルキル、トリハロメチル、Ｃ１−Ｃ４アルコキシ、トリハロメトキシ、Ｃ１−Ｃ４アシルオキシ、Ｃ１−Ｃ４アルキルチオ、Ｃ１−Ｃ４アルキルスルフィニル、Ｃ１−Ｃ４アルキルスルホニル、ヒドロキシ（Ｃ１−Ｃ４）アルキル、−ＣＯ２Ｈ、−ＣＮ、−ＣＯＮＨＲ１、−ＮＨ２、Ｃ１−Ｃ４アルキルアミノ、ジ（Ｃ１−Ｃ４）アルキルアミノ、−ＮＨＳＯ２Ｒ１、−ＮＨＣＯＲ１、−ＮＯ２および所望により１〜３個のＣ１−Ｃ４アルキルで置換されていてもよいフェニルからなる群から選ばれる、各々、独立した１〜３個の置換基で置換されていてもよい、６〜１２個の炭素原子を有する、架橋または縮合２環式ヘテロ環、
を意味する。｝
で示される化合物またはその塩。
【請求項２】
Ｒ１がＨ、ＯＨまたはそのＣ１−Ｃ４エステルもしくはアルキルエーテルまたはハロゲン、
Ｒ２、Ｒ３、Ｒ４、Ｒ５およびＲ６が、各々、独立して、Ｈ、ＯＨまたはそのＣ１−Ｃ４エステルもしくはそのアルキルエーテル、ハロゲン、シアノ、Ｃ１−Ｃ６アルキルまたはトリフルオロメチル、ただし、Ｒ１がＨの場合、Ｒ２はＯＨではない、
ＸがＨ、Ｃ１−Ｃ６アルキル、シアノ、ニトロ、トリフルオロメチルまたはハロゲン、
Ｙが、
式：
【化３】
1998036346.tif 000003
［式中、Ｒ７およびＲ８は、各々、独立して、Ｈ、Ｃ１−Ｃ６アルキルまたは、−（ＣＨ２）ｐ−（ｐは２〜６の整数）で一緒になって環を形成し、該環は、所望により、Ｈ、ヒドロキシ、ハロゲン、Ｃ１−Ｃ４アルキル、トリハロメチル、Ｃ１−Ｃ４アルコキシ、トリハロメトキシ、Ｃ１−Ｃ４アルキルチオ、Ｃ１−Ｃ４アルキルスルフィニル、Ｃ１−Ｃ４アルキルスルホニル、ヒドロキシ（Ｃ１−Ｃ４）アルキル、−ＣＯ２Ｈ、−ＣＮ、−ＣＯＮＨ（Ｃ１−Ｃ４）、−ＮＨ２、Ｃ１−Ｃ４アルキルアミノ、ジ（Ｃ１−Ｃ４）アルキルアミノ、−ＮＨＳＯ２（Ｃ１−Ｃ４）、−ＮＨＣＯ（Ｃ１−Ｃ４）および−ＮＯ２からなる群から選ばれる、各々、独立した１〜３個の置換基で置換されていてもよい］
で示される基である請求項１記載の化合物またはその塩。
【請求項３】
Ｒ１がＯＨ、
Ｒ２、Ｒ３、Ｒ４、Ｒ５およびＲ６が、各々、独立して、Ｈ、ＯＨまたはそのＣ１−Ｃ４エステルもしくはアルキルエーテル、ハロゲン、シアノ、Ｃ１−Ｃ６アルキルまたはトリフルオロメチル、ただし、Ｒ１がＨの場合、Ｒ２はＯＨではない、
ＸがＣｌ、ＮＯ２、ＣＮ、ＣＦ３またはＣＨ３、
Ｙが、
式：
【化４】
1998036346.tif 000004
［式中、Ｒ７およびＲ８は、−（ＣＨ２）ｒ−（ｒは４〜６の整数）で一緒になって環を形成し、該環は、所望により、Ｈ、ヒドロキシ、ハロゲン、Ｃ１−Ｃ４アルキル、トリハロメチル、Ｃ１−Ｃ４アルコキシ、トリハロメトキシ、Ｃ１−Ｃ４アルキルチオ、Ｃ１−Ｃ４アルキルスルフィニル、Ｃ１−Ｃ４アルキルスルホニル、ヒドロキシ（Ｃ１−Ｃ４）アルキル、−ＣＯ２Ｈ、−ＣＮ、−ＣＯＮＨ（Ｃ１−Ｃ４）、−ＮＨ２、Ｃ１−Ｃ４アルキルアミノ、ジ（Ｃ１−Ｃ４）アルキルアミノ、−ＮＨＳＯ２（Ｃ１−Ｃ４）、−ＮＨＣＯ（Ｃ１−Ｃ４）および−ＮＯ２からなる群から選ばれる、各々、独立した１〜３個の置換基で置換されていてもよい］
で示される基である請求項１記載の化合物またはその塩。
【請求項４】
５−ベンジルオキシ−２−（４−エトキシ−フェニル）−３−メチル−１−［４−（２−ピペリジン−１−イル−エトキシ）−ベンジル］−１Ｈ−インドール、
５−ベンジルオキシ−２−フェニル−３−メチル−１−［４−（２−アゼパン−１−イル−エトキシ）−ベンジル］−１Ｈ−インドール、
５−ベンジルオキシ−２−（４−ベンジルオキシ−フェニル）−３−メチル−１−［４−（２−アゼパン−１−イル−エトキシ）−ベンジル］−１Ｈ−インドール、
５−ベンジルオキシ−２−（４−ベンジルオキシ−フェニル）−３−メチル−１−［４−（２−ジイソプロピルアミノ−１−イル−エトキシ）−ベンジル］−１Ｈ−インドール、
５−ベンジルオキシ−２−（４−ベンジルオキシ−フェニル）−３−メチル−１−［４−（２−ブチル−メチルアミノ−１−イル−エトキシ）−ベンジル］−１Ｈ−インドール、
５−ベンジルオキシ−２−（４−ベンジルオキシ−フェニル）−３−メチル−１−［４−（ジメチルアミノ−エトキシ）−ベンジル］−１Ｈ−インドール、
５−ベンジルオキシ−２−（４−ベンジルオキシ−フェニル）−３−メチル−１−｛４−［２−メチル−ピペリジン−１−イル）−エトキシ］−ベンジル｝−１Ｈ−インドール、
５−ベンジルオキシ−２−（４−ベンジルオキシ−フェニル）−３−メチル−１−｛４−［２−（３−メチル−ピペリジン−１−イル）−エトキシ］−ベンジル｝−１Ｈ−インドール、
５−ベンジルオキシ−２−（４−ベンジルオキシ−フェニル）−３−メチル−１−｛４−［２−（４−メチル−ピペリジン−１−イル）−エトキシ］−ベンジル｝−１Ｈ−インドール、
５−ベンジルオキシ−２−（４−ベンジルオキシ−フェニル）−３−メチル−１−｛４−［２−（（cis）−２，６−ジメチル−ピペリジン−１−イル）−エトキシ］−ベンジル｝−１Ｈ−インドール、
５−ベンジルオキシ−２−（４−ベンジルオキシ−フェニル）−３−メチル−１−｛４−［２−（１，３，３−トリメチル−６−アザービシクロ［３．２．１］オクト−６−イル）−エトキシ］−ベンジル｝−１Ｈ−インドール、
（１Ｓ，４Ｒ）−５−ベンジルオキシ−２−（４−ベンジルオキシ−フェニル）−３−メチル−１−｛４−［２−（２−アザ−ビシクロ［２．２．１］ヘプト−２−イル）−エトキシ］−ベンジル｝−１Ｈ−インドール、
５−ベンジルオキシ−２−（４−フルオロ−フェニル）−３−メチル−１−［４−（２−アザパン−１−イル−エトキシ）−ベンジル］−１Ｈ−インドール、
５−ベンジルオキシ−２−（４−フルオロ−フェニル）−３−メチル−１−［４−（２−ピペリジン−１−イル−エトキシ）−ベンジル］−１Ｈ−インドール、
５−ベンジルオキシ−２−（４−クロロ−フェニル）−３−メチル−１−［４−（２−ピペリジン−１−イル−エトキシ）−ベンジル］−１Ｈ−インドール、
５−ベンジルオキシ−２−（３，４−メチレンジオキシ−フェニル）−３−メチル−１−［４−（２−ピペリジン−１−イル−エトキシ）−ベンジル］−１Ｈ−インドール、
５−ベンジルオキシ−２−（４−イソプロポキシ−フェニル）−３−メチル−１−［４−（２−ピペリジン−１−イル−エトキシ）−ベンジル］−１Ｈ−インドール、
５−ベンジルオキシ−２−（４−メチル−フェニル）−３−メチル−１−［４−（２−ピペリジン−１−イル−エトキシ）−ベンジル］−１Ｈ−インドール、
１−［４−（２−アゼパン−１−イル−エトキシ）−ベンジル］−５−ベンジルオキシ−２−（３−ベンジルオキシ−フェニル）−３−メチル−１Ｈ−インドール、
５−ベンジルオキシ−２−（４−ベンジルオキシ−３−フルオロ−フェニル）−３−メチル−１−［４−（２−ピペリジン−１−イル−エトキシ）−ベンジル］−１Ｈ−インドール、
５−ベンジルオキシ−２−（４−ベンジルオキシ−３−フルオロ−フェニル）−３−メチル−１−［４−（２−アゼパン−１−イル−エトキシ）−ベンジル］−１Ｈ−インドール、
５−ベンジルオキシ−２−（３−メトキシ−フェニル）−１−［４−（２−ピペリジン−１−イル−エトキシ）−ベンジル］−３−メチル−１Ｈ−インドール、
５−ベンジルオキシ−３−メチル−１−［４−（２−ピペリジン−１−イル−エトキシ）−ベンジル］−２−（４−トリフルオロメトキシ−フェニル）−１−１Ｈ−インドール、
（２−｛４−［５−ベンジルオキシ−２−（４−ベンジルオキシフェニル）−３−メチル−インドール−１−イルメチル］−フェノキシ｝−エチル）−シクロヘキシルアミン、
５−ベンジルオキシ−２−（４−ベンジルオキシフェニル）−３−メチル−１−｛［（４−メチルピペラジン−１−イル）エトキシ］−ベンジル｝−１Ｈ−インドール、
１−［４−（２−アゼパン−１−イル−エトキシ）−ベンジル］−５−ベンジルオキシ−２−（３−メトキシフェニル）−３−メチル−１Ｈ−インドール、
４−｛３−メチル−１−［４−（２−ピペリジン−１−イル−エトキシ）−ベンジル］−１Ｈ−インドール｝（ＨＣl）、
４−｛３−メチル−１−［４−（２−ピペリジン−１−イル−エトキシ）−ベンジル］−１Ｈ−インドール−２−イル｝−フェノール塩酸塩（ＨＣl）、
３−メチル−２−フェニル−１−［４−（２−ピペリジン−１−イル−エトキシ）−ベンジル］−１Ｈ−インドール−５−オール（ＨＣl）、
４−｛５−メトキシ−３−メチル−１−｛４−［２−（ピペリジン−１−イル）−エトキシ］−ベンジル］−１Ｈ−インドール−２−イル｝−フェノール、
２−（４−メトキシ−フェニル）−３−メチル−１−｛４−［２−（ピペリジン−１−イル）−エトキシ］−ベンジル｝−１Ｈ−インドール−５−オール、
５−メトキシ−２−（４−メトキシ−フェニル）−３−メチル−１−［４−（２−ピペリジン−１−イル−エトキシ）−ベンジル］−１Ｈ−インドール（ＨＣl）、
１−［４−（２−アゼパン−１−イル−エトキシ）−ベンジル］−５−メトキシ−２−（４−メトキシ−フェニル）−３−メチル−１Ｈ−インドール（ＨＣl）、
２−（４−エトキシ−フェニル）−３−メチル−１−［４−（２−ピペリジン−１−イル−エトキシ）−ベンジル］−１Ｈ−インドール−５−オール、
１−［４−（２−アゼパン−１−イル−エトキシ）−ベンジル］−２−（４−エトキシ−フェニル）−３−メチル−１Ｈ−インドール−５−オール、
４−｛５−フルオロ−３−メチル−１−［４−（２−ピペリジン−１−イル−エトキシ）−ベンジル］−１Ｈ−インドール−２−イル｝フェノール（ＨＣl）、
１−［４−（２−アゼパン−１−イル−エトキシ）−ベンジル］−３−メチル−２−フェニル−１Ｈ−インドール−５−オール（ＨＣl）、
２−（４−ヒドロキシ−フェニル）−３−メチル−１−［４−（２−ピロリジン−１−イル−エトキシ）−ベンジル］−１Ｈ−インドール−５−オール、
１−［４−（２−アゼパン−１−イル−エトキシ）−ベンジル］−２−（４−ヒドロキシ−フェニル）−３−メチル−１Ｈ−インドール−５−オール（ＨＣl）、
１−［４−（２−アゼパン−１−イル−エトキシ）−ベンジル］−２−（４−ヒドロキシ−フェニル）−３−メチル−１Ｈ−インドール−５−オール酢酸塩、
１−［４−（２−アゼパン−１−イル−エトキシ）−ベンジル］−２−（４−ヒドロキシ−フェニル）−３−メチル−１Ｈ−インドール−５−オール、
２−（４−ヒドロキシ−フェニル）−３−メチル−１−［４−（２−ジメチル−１−イル−エトキシ）−ベンジル］−１Ｈ−インドール−５−オール、
２−（４−ヒドロキシ−フェニル）−３−メチル−１−［４−（２−ジエチル−１−イル−エトキシ）−ベンジル］−１Ｈ−インドール−５−オール、
１−［４−（２−ジプロピルアミノ−エトキシ）−ベンジル］−２−（４−ヒドロキシ−フェニル）−３−メチル−１Ｈ−インドール−５−オール、
１−［４−（２−ジブチルアミノ−エトキシ）−ベンジル］−２−（４−ヒドロキシ−フェニル）−３−メチル−１Ｈ−インドール−５−オール、
１−［４−（２−ジイソプロピルアミノ−エトキシ）−ベンジル］−２−（４−ヒドロキシ−フェニル）−３−メチル−１Ｈ−インドール−５−オール、
１−［４−（２−ブチル−メチルアミノ−エトキシ）−ベンジル］−２−（４−ヒドロキシ−フェニル）−３−メチル−１Ｈ−インドール−５−オール、
２−（４−ヒドロキシ−フェニル）−３−メチル−１−｛４−［２−（２−メチル−ピペリジン−１−イル）−エトキシ］−ベンジル｝−１Ｈ−インドール−５−オール、
２−（４−ヒドロキシ−フェニル）−３−メチル−１−｛４−［２−（３−メチル−ピペリジン−１−イル）−エトキシ］−ベンジル｝−１Ｈ−インドール−５−オール、
２−（４−ヒドロキシ−フェニル）−３−メチル−１−｛４−［２−（４−メチル−ピペリジン−１−イル）−エトキシ］−ベンジル｝−１Ｈ−インドール−５−オール（ＨＣl）、
１−｛４−［２−（３，３−ジメチル−ピペリジン−１−イル）−エトキシ］−ベンジル｝−２−（４−ヒドロキシ−フェニル）−３−メチル−１Ｈ−インドール−５−オール、
１−｛４−［２−（（cis）−２，６−ジメチル−ピペリジン−１−イル）−エトキシ］−ベンジル｝−２−（４−ヒドロキシ−フェニル）−３−メチル−１Ｈ−インドール−５−オール、
２−（４−ヒドロキシ−フェニル）−１−｛４−［２−（４−ヒドロキシ−ピペリジン−１−イル）−エトキシ］−ベンジル｝−３−メチル−１Ｈ−インドール−５−オール、
（１Ｓ，４Ｒ）−１−｛４−［２−（２−アザビシクロ［２．２．１］ヘプト−２−イル）−エトキシ］−ベンジル｝−２−（４−ヒドロキシ−フェニル）−３−メチル−１Ｈ−インドール−５−オール、
２−（４−ヒドロキシ−フェニル）−３−メチル−１−｛４−［２−（１，３，３−トリメチル−６−アザビシクロ［３．２．１］オクト−６−イル）−エトキシ］−ベンジル｝−１Ｈ−インドール−５−オール、
２−（４−フルオロ−フェニル）−３−メチル−１−［４−（２−ピペリジン−１−イル−エトキシ）−ベンジル］−１Ｈ−インドール−５−オール（ＨＣl）、
１−［４−（２−アゼパン−１−イル−エトキシ）−ベンジル］−２−（４−フルオロ−フェニル）−３−メチル−１Ｈ−インドール−５−オール、
２−（３−メトキシ−４−ヒドロキシ−フェニル）−３−メチル−１−［４−（２−ピペリジン−１−イル−エトキシ）−ベンジル］−１Ｈ−インドール−５−オール（ＨＣl）、
２−ベンゾ［１，３］ジオキソール−５−イル−３−メチル−１−［４−（２−ピペリジン−１−イル−エトキシ）−ベンジル］−１Ｈ−インドール−５−オール（ＨＣl）、
２−（４−イソプロポキシフェニル）−３−メチル−１−［４−（２−ピペリジン−１−イル−エトキシ）−ベンジル］−１Ｈ−インドール−５−オール（ＨＣl）、
１−［４−（２−アゼパン−１−イル−エトキシ）−ベンジル］−２−（４−イソプロポキシフェニル）−３−メチル−１Ｈ−インドール−５−オール（ＨＣl）、
２−（４−シクロペンチルオキシフェニル）−３−メチル−１−［４−（２−ピペリジン−１−イル−エトキシ）−ベンジル］−１Ｈ−インドール−５−オール、
３−メチル−１−［４−（２−ピペリジン−１−イル−エトキシ）−ベンジル］−２−（４−トリフルオロメチルフェニル）−１Ｈ−インドール−５−オール、
３−メチル−１−［４−（２−ピペリジン−１−イル−エトキシ）−ベンジル］−２−ｐ−トリル−１Ｈ−インドール−５−オール、
２−（４−クロロフェニル）−３−メチル−１−［４−（２−ピペリジン−１−イル−エトキシ）−ベンジル］−１Ｈ−インドール−５−オール（ＨＣl）、
２−（２，４−ジメトキシフェニル）−３−メチル−１−［４−（２−ピペリジン−１−イル−エトキシ）−ベンジル］−１Ｈ−インドール−５−オール、
２−（３−ヒドロキシフェニル）−３−メチル−１−［４−（２−ピペリジン−１−イル−エトキシ）−ベンジル］−１Ｈ−インドール−５−オール、
１−［４−（２−アゼパン−１−イル−エトキシ）−ベンジル］−２−（３−ヒドロキシフェニル）−３−メチル−１Ｈ−インドール−５−オール、
２−（３−フルオロ−４−ヒドロキシフェニル）−３−メチル−１−［４−（２−ピペリジン−１−イル−エトキシ）−ベンジル］−１Ｈ−インドール−５−オール、
２−（３−フルオロ−４−ヒドロキシフェニル）−３−メチル−１−［４−（アゼパン−１−イル−エトキシ）−ベンジル］−１Ｈ−インドール−５−オール、
２−（３−メトキシフェニル）−３−メチル−１−［４−（２−ピペリジン−１−イル−エトキシ）−ベンジル］−１Ｈ−インドール−５−オール、
３−メチル−１−［４−（２−ピペリジン−１−イル−エトキシ）−ベンジル］−２−（４−トリフルオロメトキシフェニル）−１Ｈ−インドール−５−オール、
３−クロロ−２−（４−ヒドロキシフェニル）−１−［４−（２−ピロリジン−１−イル−エトキシ）−ベンジル］−１Ｈ−インドール−５−オール（ＨＣl）、
３−クロロ−２−（４−ヒドロキシフェニル）−１−［４−（２−ピペリジン−１−イル−エトキシ）−ベンジル］−１Ｈ−インドール−５−オール（ＨＣl）、
３−クロロ−２−（４−ヒドロキシフェニル）−１−［４−（２−アゼパン−１−イル−エトキシ）−ベンジル］−１Ｈ−インドール−５−オール（ＨＣl）、
３−クロロ−２−（４−ヒドロキシ−２−メチル−フェニル）−１−［４−（２−ピペリジン−１−イル−エトキシ）−ベンジル］−１Ｈ−インドール−５−オール、
２−（４−ヒドロキシ−フェニル）−３−エチル−１−［４−（２−ピペリジン−１−イル−エトキシ）−ベンジル］−１Ｈ−インドール−５−オール（ＨＣl）、
５−ヒドロキシ−２−（４−ヒドロキシ−フェニル）−１−［４−（２−ピペリジン−１−イル−エトキシ）−ベンジル］−１Ｈ−インドール−３−カルボニトリル（ＨＣl）、
１−［４−（２−アゼパン−１−イル−エトキシ）−ベンジル］−５−ヒドロキシ−２−（４−ヒドロキシ−フェニル）−１Ｈ−インドール−３−カルボニトリル（ＨＣl）、
５−ベンジルオキシ−２−（４−ベンジルオキシ−フェニル）−１−［４−（２−ピペリジン−１−イル−エトキシ）−ベンジル］−１Ｈ−インドール、
５−ベンジルオキシ−２−（４−ベンジルオキシ−フェニル）−３−クロロ−１−［４−（２−アゼパン−１−イル−エトキシ）−ベンジル］−１Ｈ−インドール、
５−ベンジルオキシ−２−（２−メチル−４−ベンジルオキシ−フェニル）−３−クロロ−１−［４−（２−ピペリジン−１−イル−エトキシ）−ベンジル］−１Ｈ−インドール、
５−ベンジルオキシ−２−（４−ベンジルオキシ−フェニル）−３−エチル−１−［４−（２−ピペリジン−１−イル−エトキシ）−ベンジル］−１Ｈ−インドール、
５−ベンジルオキシ−２−（４−ベンジルオキシ−フェニル）−３−シアノ−１−［４−（２−ピペリジン−１−イル−エトキシ）−ベンジル］−１Ｈ−インドール、
５−ベンジルオキシ−２−（４−ベンジルオキシ−フェニル）−３−シアノ−１−［４−（２−アゼパン−１−イル−エトキシ）−ベンジル］−１Ｈ−インドール、
１−［４−（２−アゼパン−１−イル−エトキシ）−ベンジル］−２−（４−ヒドロキシ−フェニル）−３−メチル−１Ｈ−インドールのジプロピオネート（ＨＣl）、
１−［４−（２−アゼパン−１−イル−エトキシ）−ベンジル］−２−（４−ヒドロキシ−フェニル）−３−メチル−１Ｈ−インドールのジピバレート（ＨＣl）、
５−ベンジルオキシ−２−（４−ベンジルオキシ−フェニル）−１−［４−（３−ピペリジン−１−イル−エトキシ）−ベンジル］−３−メチル−１Ｈ−インドール、
２−（４−ヒドロキシ−フェニル）−３−メチル−１−［４−（３−ピペリジン−１−イル−エトキシ）−ベンジル］−１Ｈ−インドール−５−オール、
２−（４−ヒドロキシ−フェニル）−１−［３−メトキシ−４−（２−ピペリジン−１−イル−エトキシ）−ベンジル］−３−メチル−１Ｈ−インドール−５−オール、
２−（４−ヒドロキシ−フェニル）−１−［３−メトキシ−４−（２−アゼパン−１−イル−エトキシ）−ベンジル］−３−メチル−１Ｈ−インドール−５−オール、
５−ベンジルオキシ−２−（４−ベンジルオキシ−フェニル）−３−メチル−１−［３−メトキシ−４−（２−ピペリジン−１−イル−エトキシ）−ベンジル］−１Ｈ−インドール、
５−ベンジルオキシ−２−（４−ベンジルオキシ−フェニル）−３−メチル−１−［２−メトキシ−４−（２−アゼパン−１−イル−エトキシ）−ベンジル］−１Ｈ−インドール、
２−（４−ヒドロキシ−フェニル）−３−メチル−１−［４−（２−ピペリジン−１−イル−エトキシ）−ベンジル］−１Ｈ−インドール−５−オールのジピバレートエステル、
５−ベンジルオキシ−２−（４−ベンジルオキシ−フェニル）−３−メチル−１−［４−（２−ピペリジン−１−イル−エトキシ）−ベンジル］−１Ｈ−インドール、
５−ベンジルオキシ−２−（３−ベンジルオキシ−フェニル）−３−メチル−１−［４−（２−ピペリジン−１−イル−エトキシ）−ベンジル］−１Ｈ−インドール、
２−（４−ヒドロキシ−フェニル）−３−メチル−１−［４−（２−ピペリジン−１−イル−エトキシ）−ベンジル］−１Ｈ−インドール−５−オール、
２−（４−ヒドロキシ−フェニル）−３−メチル−１−［４−（２−ピペリジン−１−イル−エトキシ）−ベンジル］−１Ｈ−インドール−５−オールメチオジドまたは
２−（４−ヒドロキシ−フェニル）−３−メチル−１−［４−（２−ジメチル−１−イル−エトキシ）−ベンジル］−１Ｈ−インドール−５−オールメチオジドである請求項１記載の化合物。
【請求項５】
請求項１記載の化合物またはその医薬上許容される塩と、医薬上許容される担体または賦形剤からなることを特徴とする医薬組成物。
【請求項６】
請求項１記載の化合物またはその医薬上許容される塩および医薬上許容される担体または賦形剤からなることを特徴とする、骨損失の治療または予防用医薬組成物。
【請求項７】
請求項１記載の化合物またはその医薬上許容される塩および医薬上許容される担体または賦形剤からなることを特徴とする、エストロゲン欠損から生ずるまたは伴う疾病状態または症候の治療または予防用医薬組成物。
【請求項８】
請求項１記載の化合物またはその医薬上許容される塩および医薬上許容される担体または賦形剤からなることを特徴とする、心血管疾病の治療または予防用医薬組成物。
【請求項９】
請求項１記載の化合物またはその医薬上許容される塩および医薬上許容される担体または賦形剤からなることを特徴とする、子宮内膜または子宮内膜様組織の増殖または異常な発達、作用もしくは成長からもたらされる疾病の治療または予防用医薬組成物。